(57)【要約】【課題】簡易な形状で、光源ランプを有する光源装置から漏れ出る可視光の遮光と光源ランプの冷却風の通風とを両立させることができる光漏れ防止機構及び電気機器を提供する。【解決手段】遮光板１３，１３，…を面方向に並置してなる遮光列１３０と遮光板１４，１４，…を面方向に並置してなる遮光列１４０とを互いに略平行に配置してある。遮光板１３，１３，…及び遮光板１４，１４，…は、夫々の一面を光源ランプ２１側に向けて、互いに適長離隔して千鳥配置してある。送風機４１が発生させる光源ランプ２１の冷却風は図中白抜矢符のように遮光板１３，１３，…及び遮光板１４，１４，…間を通過し、光源ランプ２１を有する光源装置２から漏れ出る可視光線Ｌは、遮光板１３，１３，…及び遮光板１４，１４，…によって遮光される。【選択図】図４
2007206548.tif 000002
【特許請求の範囲】
【請求項１】
光源ランプを有する光源装置から漏れ出る可視光を遮光し、前記光源ランプを冷却する冷却風が通過する光漏れ防止機構において、
平板状の遮光板を複数、各遮光板の一面を前記光源ランプの側に向けて、前記可視光に応じ互いに適長離隔して千鳥配置してあることを特徴とする光漏れ防止機構。
【請求項２】
前記遮光板を面方向に複数枚並置してなる列を複数列、互いに略平行に配置してあることを特徴とする請求項１に記載の光漏れ防止機構。
【請求項３】
前記遮光板の列を有する板状の遮光部材を複数用い、一の遮光部材に他の遮光部材を取り付けてなることを特徴とする請求項２に記載の光漏れ防止機構。
【請求項４】
少なくとも１枚の遮光板が、該遮光板と他の遮光板とが対面するよう移動可能にしてあることを特徴とする請求項１乃至３の何れかひとつに記載の光漏れ防止機構。
【請求項５】
光源ランプを有する光源装置と、
前記光源ランプを冷却する冷却風を発生させる送風機と、
前記光源装置から漏れ出る可視光を遮光し、前記冷却風が通過する請求項１乃至４の何れかひとつに記載の光漏れ防止機構と
を備えることを特徴とする電気機器。
【発明の詳細な説明】
【技術分野】
【０００１】
本発明は、光源ランプからの可視光を遮光し、光源ランプの冷却風が通過する光漏れ防止機構、及び該光漏れ防止機構を備える電気機器に関する。
【背景技術】
【０００２】
プロジェクタは、暗い室内に配されたスクリーンに画像を大画面で表示することができ、プレゼンテーション、映画鑑賞、娯楽等の用途に利用され、可視光線を発する光源ランプを有する光源装置を着脱可能に内蔵している。光源ランプから放射状に発生する可視光線を一方向に集光させるために、光源ランプは可視光線を反射するリフレクタに覆われている。
更にプロジェクタは、光源ランプを冷却する冷却風を、例えば複数枚の羽根が回転することによって発生させる送風機を備える。
【０００３】
送風機は、送風機の回転軸が、一方向に集光された光源ランプの光軸方向に略平行になるようにして光源装置の背部に配される。又は、送風機は、送風機の回転軸が、光源ランプの光軸方向に略直交するようにして光源装置の側部に配される。
光源装置及びプロジェクタ夫々には、光源ランプから発生した熱を吸熱して温度が上昇した冷却風を光源装置外部及びプロジェクタ外部へ排気するための通気孔が形成されている。
【０００４】
しかしながら、光源ランプを覆うリフレクタが僅かながら可視光線を透過するため、リフレクタを透過した可視光線が通気孔から外部へ漏れ、室内を不要に明るくするという問題があった。
このような光漏れを防止するために、可視光線を遮光する遮光板で通気孔を塞ぐことが考えられる。しかしながら、この場合、吸熱した冷却風が光源装置外部及びプロジェクタ外部へ排気されず、冷却風の温度が上昇して冷却効率が低下するという問題があった。
【０００５】
以上のような問題を解決するために、遮光板を用いた光漏れの防止と光源ランプの冷却とを両立させる光漏れ防止機構が提案されている（特許文献１〜４参照）。
特許文献１の光漏れ防止機構は、送風機の回転軸方向（以下、回転軸方向という）に対して傾斜している互いに平行な複数枚の遮光板が適長離隔して一列に並置されている。この場合、遮光板の間を冷却風が通過し、また、傾斜している遮光板が、光源ランプから漏れ出た可視光線を遮光する。
【０００６】
特許文献２の光漏れ防止機構は、回転軸方向に対して傾斜している互いに平行な複数枚の遮光板と回転軸方向に対して略直交している１枚の中央遮光板とが、適長離隔して一列に並置され、しかも中央遮光板を中心に列方向に対称的に配置されている。この場合、遮光板の間を冷却風が通過し、また、各遮光板が光源ランプから漏れ出た可視光線に略直交して確実に遮光する。
【０００７】
特許文献３の光漏れ防止機構は、送風機の回転軸と同軸の中心軸周りに複数枚の遮光板を、回転軸方向に対して傾斜させつつ放射状に配列してある。この場合、光漏れ防止機構の遮光板の間を通過した冷却風が送風機によって効率よく排出されて冷却効率を向上させ、また、遮光板が光源ランプから漏れ出た可視光を遮光する。
【０００８】
特許文献４の光漏れ防止機構は、回転軸方向に対して傾斜している傾斜遮光板部と回転軸方向に対して略直交している直交遮光板部とを鈍角的なＶ字状に一体形成してなる複数枚の遮光板の列を光源ランプに対し前列に配し、前記傾斜遮光板部に交差する方向の傾斜遮光板部と直交遮光板部とを鈍角的なＶ字状に配してなる複数枚の遮光板の列を光源ランプに対し後列に配してある。この場合、遮光板の間を冷却風が通過し、また、前列の遮光板が光源ランプから漏れ出た可視光を遮光し、前列の遮光板間を通過して漏れ出た可視光を後列の遮光板が遮光する。
【特許文献１】特開２００１−３１８４２８号公報
【特許文献２】特開２００２−２１４７１０号公報
【特許文献３】特開２００３−１５７７１４号公報
【特許文献４】特開２００３−２６２９２１号公報
【発明の開示】
【発明が解決しようとする課題】
【０００９】
しかしながら、特許文献１，２，３，４の光漏れ防止機構は、遮光板又は傾斜遮光板部が送風機の回転軸方向に対して傾斜しているため、遮光板又は傾斜遮光板部が回転軸方向に対して平行である場合よりも遮光板間又は傾斜遮光板部間が狭くなって通風効率が低下する。一方、遮光板間又は傾斜遮光板部間を広げると遮光効率が低下する。
しかも、特許文献４の光漏れ防止機構は、遮光板間に形成される通風路の形状が複雑になり、通風効率が更に低下するという問題があった。
また、特許文献３の光漏れ防止機構は、形状が複雑である。
【００１０】
本発明は斯かる事情に鑑みてなされたものであり、その主たる目的は、平板状の遮光板を複数、千鳥配置してあることにより、簡易な形状で、遮光効率及び通風効率を両立して向上させることができる光漏れ防止機構及び電気機器を提供することにある。
【００１１】
本発明の他の目的は、遮光板を千鳥配置して複数列設けてあることにより、遮光効率と両立しつつ通風効率を更に向上させることができる光漏れ防止機構を提供することにある。
【００１２】
本発明の他の目的は、遮光板の列を設けてある複数の遮光部材を組み合わせた構成とすることにより、容易に形成することができる光漏れ防止機構を提供することにある。
【００１３】
本発明の更に他の目的は、遮光板が移動する構成とすることにより、遮光効率及び通風効率夫々を適宜に変更することができる光漏れ防止機構を提供することにある。
【課題を解決するための手段】
【００１４】
本発明に係る光漏れ防止機構は、光源ランプを有する光源装置から漏れ出る可視光を遮光し、前記光源ランプを冷却する冷却風が通過する光漏れ防止機構において、平板状の遮光板を複数、各遮光板の一面を前記光源ランプの側に向けて、前記可視光に応じ互いに適長離隔して千鳥配置してあることを特徴とする。
【００１５】
本発明に係る光漏れ防止機構は、前記遮光板を面方向に複数枚並置してなる列を複数列、互いに略平行に配置してあることを特徴とする。
【００１６】
本発明に係る光漏れ防止機構は、前記遮光板の列を有する板状の遮光部材を複数用い、一の遮光部材に他の遮光部材を取り付けてなることを特徴とする。
【００１７】
本発明に係る光漏れ防止機構は、少なくとも１枚の遮光板が、該遮光板と他の遮光板とが対面するよう移動可能にしてあることを特徴とする。
【００１８】
本発明に係る電気機器は、光源ランプを有する光源装置と、前記光源ランプを冷却する冷却風を発生させる送風機と、前記光源装置から漏れ出る可視光を遮光し、前記冷却風が通過する前述の本発明の何れかひとつの光漏れ防止機構とを備えることを特徴とする。
【００１９】
本発明にあっては、複数枚の平板状の遮光板が、互いに適長離隔して千鳥配置してあるため、簡易な形状である。各遮光板は、光源装置から漏れ出る可視光に応じ、即ち該可視光を遮蔽可能な位置に配され、各遮光板の一面を、光源装置が有する光源ランプの側に向けてあり、各遮光板の一面が、光源装置から漏れ出る可視光を遮光する。
遮光板間を通過した可視光は、この遮光板間に千鳥に配置された他の遮光板が遮光する。また、遮光板間を、光源ランプを冷却する冷却風が通過する。
【００２０】
本発明にあっては、複数の遮光板を面方向に並置して遮光板の列を設け、この遮光板の列を略平行に配置し、一の列に含まれる遮光板の一面で、光源装置から漏れ出る可視光を遮光し、この一の列の列方向に離隔配置された遮光板間を通過する可視光を、この遮光板間に千鳥配置された他の列の遮光板の一面で遮光する。
また、遮光板同士が面方向に並置されるため、各遮光板は送風機の回転軸方向に対して傾斜しない。
【００２１】
本発明にあっては、複数の遮光板を面方向に並置してなる遮光板の列を有する板状の遮光部材を複数準備し、一の遮光部材に含まれる隣り合う遮光板の間に、他の遮光部材に含まれる遮光板が位置するよう、一の遮光部材に他の遮光部材を取り付ける。遮光板の列が複数である場合は、同様にして遮光部材の取り付けを繰り返す。
【００２２】
本発明にあっては、少なくとも１枚の遮光板が移動し、移動した遮光板の一面（他面）と他の遮光板の他面（一面）とが対面する。このとき、遮光板間に形成される冷却風の通風路が広くなる。
【発明の効果】
【００２３】
本発明の光漏れ防止機構及び電気機器による場合、複数枚の平板状の遮光板が、互いに適長離隔して千鳥配置してあるため、簡易に形成することができる。各遮光板は、各遮光板の一面を、光源装置が有する光源ランプの側に向けてあるため、各遮光板の一面で、光源装置から漏れ出る可視光を遮光することができる。
この場合、一の遮光板によって遮光できない可視光を、千鳥配置された他の遮光板によって遮光することができる。このため、例えば、隣り合う遮光板間を広く設け、この遮光板間に千鳥に配置された他の遮光板で、遮光板間を通過した可視光を遮光し、また、この遮光板間、及び隣り合う遮光板と千鳥に配置された他の遮光板との間を、光源ランプを冷却する冷却風が通過することができる。この結果、通風効率を向上させつつ、遮光効率を向上させることができる。
【００２４】
仮に、遮光板が２枚であっても、一の遮光板が遮光できなかった可視光は、千鳥配置された他の遮光板が遮光することができ、しかも遮光板同士を離隔配置して通風路を確保することができる。
【００２５】
以上のようにして通風効率を向上させることによって、光源ランプの冷却効率を向上させることができる。また、送風力が低くても静音性が高い送風機で十分に光源ランプを冷却することができるため、送風機の騒音を低減することができる。
【００２６】
本発明の光漏れ防止機構による場合、複数の遮光板を面方向に並置してなる遮光板の列に関し、一の列に含まれる遮光板の一面で、光源装置から漏れ出る可視光を遮光することができる。また、この一の列の列方向に離隔配置された遮光板間を通過する可視光は、この遮光板間に千鳥配置された他の列の遮光板の一面で遮光することができる。
【００２７】
１本の列には複数枚の遮光板が含まれるため、各遮光板の列方向の長さを短くすることができる。また、列の本数を３本以上にする場合は、各遮光板の列方向の長さを更に短くすることができる。以上のことから、１枚の遮光板に対し冷却風が接触する面積が減少して、冷却風に対する遮光板の摩擦力を低減させ、冷却風が遮光板間を円滑に通過することができる。
更に、遮光板同士が面方向に並置されるため、各遮光板は送風機の回転軸方向に対して傾斜しない。このため、遮光板間を広くすることができる。
以上の結果、通風効率を更に向上させることができる。
【００２８】
本発明の光漏れ防止機構による場合、複数の遮光板を面方向に並置してなる遮光板の列を有する板状の遮光部材は、簡易な形状であるため、容易に形成することができる。また、一の遮光部材に他の遮光部材を取り付けることによって、光漏れ防止機構を容易に形成することができる。
【００２９】
本発明の光漏れ防止機構による場合、少なくとも１枚の遮光板を移動させて、遮光板同士を対面させることによって、遮光板間に形成される冷却風の通風路が広くなるため、通風効率を大幅に向上させることができる。
つまり、例えば光源装置（延いては光源装置を備える電気機器）を設置する室内が暗い場合は遮光板を千鳥配置にして遮光効率を優先し、室内が明るい場合は遮光板同士を対面させて通風効率を優先して、使用態様に応じた遮光効率及び通風効率夫々を適宜に得ることができる。
【発明を実施するための最良の形態】
【００３０】
以下、本発明を、その実施の形態を示す図面に基づいて詳述する。
【００３１】
実施の形態  １．
図１は、本発明の実施の形態１に係る光漏れ防止機構１の平面図であり、本実施の形態に係る電気機器としてのプロジェクタ４の水平断面を含む。
また、図２は、光漏れ防止機構１の構成を示す正面図であり、プロジェクタ４が備える光源装置２の背面図を含む。図３は、光漏れ防止機構１が備える遮光部材１１，１２の構成を示す正面図である。
更に、図４は、光漏れ防止機構１の構成を示す模式的水平断面図である。
【００３２】
プロジェクタ４は、光源装置２と、光源装置２からの光漏れを防止する光漏れ防止機構１と、プロジェクタ４内の各種熱源を冷却するための複数の送風機４１，４１，…とを、直方体状の筐体４０に収容している。筐体４０は、図示しない底部に蓋を有し、この蓋を開閉して筐体４０に光源装置２が着脱可能に収容される。
【００３３】
送風機４１，４１，…は、夫々複数枚の羽根が回転することによって送風するよう構成してあり、各送風機４１回転軸方向をプロジェクタ４正面−背面方向に合わせて、夫々吸気側を筐体４０内部側に、排気側を筐体４０外部側に向けて筐体４０の背壁４０１内側に接近並置してあり、筐体４０内部の空気を、背壁４０１に形成された通気孔４０ａ，４０ａ，…を通過させて筐体４０外部へ図１中白抜矢符方向に排気する。送風機４１，４１，…が駆動することによって、筐体４０内部の空気は筐体４０内部をプロジェクタ４正面側から背面側へ積極的に移動し、筐体４０内部の熱源から吸熱することによって熱源を冷却する冷却風として利用される。
【００３４】
光源装置２は、光源装置２の背部が送風機４１，４１，…の吸気側に対向して配置されている。また、光源装置２は、光源ランプ２１と、回転楕円面状の凹面鏡であるリフレクタ２２とを内蔵し、光源ランプ２１からの可視光線をプロジェクタ４正面側（図４中矢符Ｒ方向）へ投射するための開口が前部に設けられ、冷却風が通過する通気孔が背部に設けられている。
【００３５】
光源ランプ２１は熱源の一つであり、可視光線を放射状に発生させる。また、光源ランプ２１はリフレクタ２２内部に配される。
リフレクタ２２は、光源ランプ２１が発生させる可視光線を反射し、プロジェクタ４正面側へ集光する。本実施の形態における光源ランプ２１の光軸方向は、送風機４１の回転軸方向に略等しい。
【００３６】
ただし、光源ランプ２１が発生させた可視光線の一部は、リフレクタ２２を透過する。リフレクタ２２を透過した可視光線Ｌは、光源装置２の背部通気孔を通過して光源装置２から漏れ出る。
このような可視光線Ｌは、図４中二点鎖線矢符に示すように、更に通気孔４０ａ，４０ａ，…を通過してプロジェクタ４外部へ漏れ出ることがあるため、本実施の形態においては光漏れ防止機構１で遮光する。
【００３７】
図４中には、光漏れ防止機構１が備える平板状の遮光板１３，１３，…及び遮光板１４，１４，…、並びに光源装置２の光源ランプ２１及びリフレクタ２２の水平断面が示されている。
このように、光漏れ防止機構１は光源装置２の背部及び送風機４１の吸気側の間に配され、３枚の遮光板１３，１３，…を面方向に一列並置してなる遮光列１３０と、４枚の遮光板１４，１４，…を面方向に一列並置してなる遮光列１４０とを、互いに略平行に配置してある。また、遮光板１３，１３，…及び遮光板１４，１４，…夫々は垂直方向に長細く、縦長さ及び横幅が夫々等しく、一面を光源ランプ２１の光軸方向に略直交させる向きに、光源ランプ２１の光軸方向に重複する部分がないよう互いに適長離隔して千鳥配置してある。
【００３８】
送風機４１，４１，…が駆動することによって光源装置２を正面側から背面側へ通過する冷却風は、リフレクタ２２の内側を通過して直接的に、又はリフレクタ２２の外側を通過して間接的に光源ランプ２１を冷却する。
光源ランプ２１の冷却風は、図４中白抜矢符に示すように、光源装置２の背部通気孔から光源装置２外部へ排出されて、光漏れ防止機構１の夫々適長離隔されている各遮光板１４，１４間、各遮光板１３，１４間、及び各遮光板１３，１３間をこの順に通過して、送風機４１によって通気孔４０ａ，４０ａ，…から排気される。
【００３９】
一方、リフレクタ２２を透過した可視光線Ｌは、遮光板１３，１３，…及び遮光板１４，１４，…の一面に反射することによって、図４中実線矢符に示すように遮光され、光源装置２外部へ漏れ出ることが抑制されている。
なお、遮光板１３，１３，…及び遮光板１４，１４，…は、可視光線Ｌの反射ではなく、吸収によって遮光する構成でもよい。
【００４０】
以上のような光漏れ防止機構１は、図３に示すように、遮光列１４０を有する遮光部材１２に、遮光列１３０を有する遮光部材１１を、各遮光板１４，１４間の横幅方向中央部に各遮光板１３が重なるようにして取り付け、更に、図１及び図２に示すように、遮光部材１２（及び遮光部材１１）を光源装置２背部に取り付けてなる。
以下では、遮光部材１１，１２について詳述する。
【００４１】
遮光部材１１は、金属製の矩形状平板の四辺を一方向に折り曲げてあり、中央部に、夫々前記矩形状平板の長手方向に沿う細長矩形平板状の３本の遮光板１３，１３，…を有する。この遮光板１３，１３，…は、前記矩形状平板の中央部に４個の矩形状の孔１１ａ，１１ａ，…を等間隔に形成することによって設けられている。即ち各遮光板１３は、隣り合う孔１１ａ，１１ａの間に位置する前記矩形状平板の残部である。
【００４２】
遮光部材１１の四辺の折り曲げ部のうち、遮光板１３横幅方向（以下、左右方向という）の折り曲げ部１１ｂ，１１ｂの先端には、左（右）側の折り曲げ部１１ｂを左（右）方向に更に折り曲げることによって、遮光部材１１を遮光部材１２に取り付けるための取付部１１１，１１１が一体に設けられている。
同様に、遮光部材１１の四辺の折り曲げ部のうち、遮光板１３，１３，…長手方向（以下、上下方向という）の上側の折り曲げ部１１ｃの先端には、折り曲げ部１１ｃを上方向に更に折り曲げることによって、遮光部材１１を遮光部材１２に取り付けるための取付部１１２，１１２が一体に設けられている。
【００４３】
同様に、遮光部材１２は、金属製の矩形状平板の四辺を一方向に折り曲げてなり、中央部左側に、夫々前記矩形状平板の長手方向に沿う細長矩形平板状の４本の遮光板１４，１４，…を有し、中央部右側に、通気孔１２１が形成してある。
遮光板１４，１４，…は、前記矩形状平板の中央部左側に５個の矩形状の孔１２ａ，１２ａ，…を等間隔に形成することによって設けられる。即ち各遮光板１４は、隣り合う孔１２ａ，１２ａの間に位置する前記矩形状平板の残部である。
【００４４】
遮光部材１２の四辺の折り曲げ部のうち、下側の折り曲げ部の一部は、遮光部材１２、延いては光漏れ防止機構１を光源装置２背部に取り付けるための取付部１２２として用いられている。更に、上側の折り曲げ部１２ｂの先端には、折り曲げ部１２ｂを更に倒立Ｌ字状に折り曲げることによって、遮光部材１２を筐体４０に固定するための取付部１２３が一体に設けられている。
【００４５】
光漏れ防止機構１は、遮光部材１１の四辺折り曲げ方向の面を、遮光部材１２の四辺折り曲げ方向の逆方向の面に取付部１１１，１１１，１１２，１１２をビス留め、溶接等で固定させることによって遮光部材１２に重ね合わせて形成してある。
更に光漏れ防止機構１は、遮光板１３，１３，…及び遮光板１４，１４，…が光源装置２背部通気孔を覆うようにして、取付部１２２を光源装置２にビス留めで着脱可能に固定することによって光源装置２背部に取り付けてある。更にまた、光漏れ防止機構１は、取付部１２２を筐体４０（更に詳細には前記蓋）外側からビス留めされる。
【００４６】
遮光部材１２の通気孔１２１には遮光板が配されていない。しかしながら、光源装置２背部の通気孔１２１に対応する位置からは可視光線Ｌが漏れ出ることはないため、光漏れの問題は生じない。しかも、通気孔１２１に遮光板が配されていないため、通気孔１２１は通気性が大きく、通風効率の向上、延いては冷却効率の向上に寄与している。
【００４７】
ところで、光漏れ防止機構１は、通風効率の向上のため、光源ランプ２１の光軸方向に遮光板１３及び遮光板１４の両方が存在しない場所がある。しかしながら、光漏れ防止機構１の遮光板１３及び遮光板１４以外の他部、送風機４１及び筐体４０によっても可視光線Ｌは遮光されるため、プロジェクタ４外部に可視光線Ｌが漏れ出ることは十分に抑制されている。つまり、光漏れ防止機構１は、光源装置２から漏れ出る可視光線Ｌが通過する位置に各遮光板１３及び遮光板１４を配しており、このことによって、遮光板の枚数及び夫々の面積を減少させている。
【００４８】
以上のような光漏れ防止機構１は、光源装置２から漏れ出る可視光線Ｌを効率よく遮光しつつ、冷却風を効率よく通過させて冷却効率を向上させている。
また、光源装置２を取り替える場合、光源装置２に取り付けられている光漏れ防止機構１を取り外し、新たな光源装置２に取り付けて再利用することができるため、経済的である。
【００４９】
なお、送風機４１の回転軸方向が、光源ランプ２１の光軸方向に交差するよう送風機４１を光源装置２の側部に配置してもよい。この場合、光源装置２の通気孔は側部に設けられ、光漏れ防止機構１も光源装置２の側部通気孔に対応して取り付けられる。
また、各遮光部材１１，１２は、本実施の形態のように、金属製の板状部材に複数の孔を適宜の位置に形成し、孔が形成された板状部材の残部を遮光板とする構成のみならず、例えば合成樹脂を用いて形成してもよく、金型を用いた一体成型によって形成してもよい。
【００５０】
実施の形態  ２．
図５は、本発明の実施の形態２に係る光漏れ防止機構３０１の構成を示す模式的水平断面図であり、図中には、光漏れ防止機構３０１が備える平板状の遮光板３１，３１及び遮光板３２，３２，…、並びに光源装置２の光源ランプ２１及びリフレクタ２２の水平断面が示されている。
【００５１】
本実施の形態における光漏れ防止機構３０１は、実施の形態１の光漏れ防止機構１と略同様の構成であり、遮光板３１，３１及び遮光板３２，３２，…は、夫々遮光板１３，１３，…及び遮光板１４，１４，…に対応する。ただし、遮光板１３，１３，…は３枚であるが、遮光板３１，３１は２枚である。
ここで、本実施の形態における光源装置２は、光源ランプ２１及びリフレクタ２２を支持する支持部材２３がリフレクタ２２の頂部に配されており、リフレクタ２２の頂部から漏れ出る可視光線Ｌは支持部材２３に遮光され、光源装置２背部通気孔から光源装置２外部へ漏れ出ることはない。
【００５２】
このため、光漏れ防止機構３０１は、リフレクタ２２の頂部から漏れ出る可視光線Ｌを遮光すべき遮光板３１を備えていない。つまり、光漏れ防止機構３０１は、支持部材２３のような光源装置２の各部によって遮光されている範囲以外の範囲に対応して、光源装置２から漏れ出る可視光線Ｌが通過する位置に遮光板３１，３１及び遮光板３２，３２，…を配しており、このことによって、遮光板の枚数を減少させている。
遮光板の枚数が減少している分、遮光板３１，３１間が広くなるため、冷却風の通風効率は向上される。
【００５３】
以上のような光漏れ防止機構３０１は、光源装置２から漏れ出る可視光線Ｌを効率よく遮光しつつ、冷却風を更に効率よく通過させて冷却効率を向上させている。
その他、実施の形態１に対応する部分には同一符号を付してそれらの説明を省略する。
【００５４】
実施の形態  ３．
図６は、本発明の実施の形態３に係る光漏れ防止機構３０２の構成を示す模式的水平断面図であり、図中には、光漏れ防止機構３０２が備える平板状の遮光板３３，３３，…、遮光板３４，３４，…、遮光板３５，３５，…及び遮光板３６，３６，…、並びに光源装置２の光源ランプ２１及びリフレクタ２２の水平断面が示されている。
【００５５】
遮光板３３，３３，…、遮光板３４，３４，…、遮光板３５，３５，…及び遮光板３６，３６，…は、光源ランプ２１の光軸方向に重複する部分がないよう互いに適長離隔して千鳥配置してある。各遮光板３３，３４，３５，３６の横幅は、実施の形態１の各遮光板１３，１４の１／２である。また、一の遮光板３３，３４（３５，３６）の左右方向の位置が一の遮光板１４（１３）の左右方向の位置に対応するよう配置してある。
このため、一の遮光板３３，３４（３５，３６）を用いて一の遮光板１４（１３）が遮光していた範囲を通過する可視光線Ｌを遮光する。
【００５６】
各遮光板３３，３４，３５，３６の横幅が減少している分、遮光板３３，３４，３５，３６に対し冷却風が接触する面積が減少して、冷却風に対する遮光板３３，３４，３５，３６の摩擦力を低減させる。しかも遮光板３３，３３間（３４，３４間，３５，３５間，３６，３６間）が広くなる。以上のことから、冷却風の通風効率は更に向上される。
【００５７】
以上のような光漏れ防止機構３０２は、光源装置２から漏れ出る可視光線Ｌを効率よく遮光しつつ、冷却風を更に効率よく通過させて冷却効率を向上させている。
その他、実施の形態１に対応する部分には同一符号を付してそれらの説明を省略する。
【００５８】
実施の形態  ４．
図７は、本発明の実施の形態４に係る光漏れ防止機構５が備える遮光部材５２の構成を示す正面図であり、図８は、光漏れ防止機構５が備える遮光部材５１の構成を示す背面図である。また、図９は、光漏れ防止機構５の構成を示す模式的水平断面図である。
本実施の形態の光漏れ防止機構５は、実施の形態１の光漏れ防止機構１に対応する。つまり、遮光部材５１，５２は遮光部材１１，１２に対応し、各遮光板５３，５４は遮光板１３，１４に対応する。
【００５９】
ただし、光漏れ防止機構５は、光源装置２に取り付ける構成ではなく、筐体４０の背壁４０１に、光源装置２の背部通気孔に対応して開口を設けておき、この開口に嵌め込まれる構成である。このため、光漏れ防止機構５は送風機４１の排気側に配置されている。
また、光漏れ防止機構５は、遮光部材５１が遮光部材５２に対して左右方向にスライド可能にしてあり、このため、遮光板５３，５３，…及び遮光板５４，５４，…は千鳥に配置されるか、又は遮光板５３，５３，…の一面が、遮光板５４，５４，…の他面に対面するよう配置される。
【００６０】
図９に示すように、遮光板５３，５３，…及び遮光板５４，５４，…が千鳥配置されている（遮光板５３，５３，…が実線で図示されている）場合は、実施の形態１同様に可視光線Ｌを遮光する（遮光優先配置）。一方、遮光板５３，５３，…が遮光板５４，５４，…に対面するよう配置されている（遮光板５３，５３，…が二点鎖線で図示されている）場合は、光源ランプ２１の光軸方向に遮光板５３，５４の何れも存在しない範囲が広くなるため、通風効率が更に向上される（通風優先配置）。
【００６１】
以下では、光漏れ防止機構５のスライド構造について説明する。
遮光部材５１は、遮光部材１１の取付部１１１，１１１，１１２，１１２の代わりに、４個の取付部５１２，５１２，…が設けられている。
【００６２】
この取付部５１２，５１２，…は、遮光部材５１の四辺の折り曲げ部のうち、上（下）方向の折り曲げ部５１ｃの先端を、上（下）方向に更に折り曲げることによってなり、図８に示すように、取付部５１２，５１２，…の遮光部材５２側の一面には、遮光部材５１を遮光部材５２を取り付けるための取付用突起５１４，５１４，…が１個ずつ設けられている。取付用突起５１４，５１４，…に雌ネジが形成してあり、各取付用突起５１４を、遮光部材５２に形成された後述する案内溝５２４に挿入して、遮光部材５２を挟むようにして図示しない雄ネジで留めることによって、遮光部材５１は遮光部材５２に取り付けられる。
【００６３】
図７に示すように、遮光部材５２は遮光部材５２の左側の四隅に、左右方向の案内溝５２４，５２４，…が形成されている。各案内溝５２４は取付用突起５１４に挿嵌されて取付用突起５１４が左右方向にスライドし、両端に取付用突起５１４が嵌合する下方向の凹部が形成されている。各取付用突起５１４が案内溝５２４の左（右）側の凹部に嵌合している場合、遮光部材５１は遮光（通風）優先配置に位置する。
遮光部材５１には、摘まみ部５１５，５１５が設けられており、プロジェクタ４の使用者が摘まみ部５１５，５１５を摘まんで遮光部材５１を横方向にスライド可能にしてある。
【００６４】
以上のような光漏れ防止機構５を用いる場合、プロジェクタ４の使用者は、プロジェクタ４を暗い室内で用いるときは、遮光板５３，５３，…を手動で遮光優先配置に移動させる。この状態では、遮光板５３，５３，…が通風優先配置にある場合よりも通風効率は低いため、使用者は、プロジェクタ４に設けられた図示しない操作部を操作して、送風機４１，４１，…の回転数を増加させる。以上の結果、遮光効率と通風効率が両立する。
【００６５】
一方、プロジェクタ４を明るい室内で用いるときは、遮光効率が低くても問題はないため、使用者は、遮光板５３，５３，…を手動で通風優先配置に移動させる。この状態では通風効率が高いため、使用者は、前記操作部を操作して、送風機４１，４１，…の回転数を減少させる。以上の結果、送風機４１，４１，…の騒音が減少する。
【００６６】
なお、遮光部材５１の配置が多段階又は無段階に変更可能な構成としてもよい。この場合、遮光効率及び通風効率も多段階又は無段階に変更可能となる。
また、遮光部材５１を手動でスライドさせる構成ではなく、例えばモータ及びモータに連動する走行輪を設けて自動でスライドさせる構成でもよい。遮光部材５１を自動でスライドさせる場合は、実施の形態１〜３同様に光漏れ防止機構５を光源装置２に取り付けてもよく、遮光部材５１の配置に応じて送風機４１，４１，…の回転数を自動的に増減する構成でもよい。
【００６７】
図１０は、光漏れ防止機構５の他の構成を示す模式的水平断面図である。
ここでは、遮光部材５１に対して、遮光部材５１の位置を検出する位置センサ６１が設けられている。位置センサ６１は、遮光部材５１が通風優先配置にあるか否かを検出し、遮光部材５１が通風優先配置にある場合、プロジェクタ４の制御部６０へ所定の検出信号を出力し、通風優先配置にない（遮光優先配置にある）場合、検出信号の出力を停止する。
制御部６０は、位置センサ６１から検出信号が入力されている（通風優先配置にある）場合、送風機４１，４１，…を制御して回転数を減少させ、検出信号が入力されていない（遮光優先配置にある）場合、送風機４１，４１，…の回転数を増大させる。なお、光源装置２に最も接近配置されている送風機４１のみ回転数を増減させる構成でもよい。
【００６８】
以上のような構成においては、遮光部材５１の配置（遮光優先配置又は通風優先配置）を位置センサ６１で検出し、検出された遮光部材５１の配置に応じて送風機４１，４１，…の回転数を自動的に増減する。
つまり、他の遮光板と対面するようスライド可能にしてある遮光板の位置を検出し、検出された位置に応じて送風機を駆動制御する。この場合、位置センサ６１を、位置センサ６１から遮光部材５１までの距離を検出する測距センサで構成してもよい。
【００６９】
その他、実施の形態１に対応する部分には同一符号を付してそれらの説明を省略する。
【００７０】
なお、実施の形態１〜４においてはプロジェクタ４を例示したが、これに限らず、本発明の電気機器は、光源装置を備える顕微鏡、光学計測機器等でもよい。
【００７１】
以上のような本発明の光漏れ防止機構は、光源装置に内蔵されるか、光源装置に外部から取り付けられるか、送風機に備えられるか、電気機器の筐体に設けられるか等を問わない。また、光漏れ防止機構は、光源装置と送風機の吸気側との間に配されるか、送風機の排気側に配されるか等を問わない。更に、送風機の回転軸方向が、光源ランプの光軸方向に略平行であるか交差するか等も問わない。以上のことから、光漏れ防止機構の配置の自由度が高い。
【図面の簡単な説明】
【００７２】
【図１】本発明の実施の形態１に係る光漏れ防止機構の平面図である。
【図２】本発明の実施の形態１に係る光漏れ防止機構の構成を示す正面図である。
【図３】本発明の実施の形態１に係る光漏れ防止機構が備える遮光部材の構成を示す正面図である。
【図４】本発明の実施の形態１に係る光漏れ防止機構の構成を示す模式的水平断面図である。
【図５】本発明の実施の形態２に係る光漏れ防止機構の構成を示す模式的水平断面図である。
【図６】本発明の実施の形態３に係る光漏れ防止機構の構成を示す模式的水平断面図である。
【図７】本発明の実施の形態４に係る光漏れ防止機構が備える遮光部材の構成を示す正面図である。
【図８】本発明の実施の形態４に係る光漏れ防止機構が備える遮光部材の構成を示す背面図である。
【図９】本発明の実施の形態４に係る光漏れ防止機構の構成を示す模式的水平断面図である。
【図１０】本発明の実施の形態４に係る光漏れ防止機構の他の構成を示す模式的水平断面図である。
【符号の説明】
【００７３】
１，５  光漏れ防止機構
１１，１２，５１，５２  遮光部材
１３，１４，５３，５４  遮光板
１３０，１４０  遮光列（列）
２    光源装置
２１  光源ランプ
３０１，３０２    光漏れ防止機構
３１，３２，３３，３４，３５，３６  遮光板
４    プロジェクタ（電気機器）
４１  送風機
Ｌ    可視光線（可視光）
【図１】
2007206548.tif 000003
【図２】
2007206548.tif 000004
【図３】
2007206548.tif 000005
【図４】
2007206548.tif 000006
【図５】
2007206548.tif 000007
【図６】
2007206548.tif 000008
【図７】
2007206548.tif 000009
【図８】
2007206548.tif 000010
【図９】
2007206548.tif 000011
【図１０】
2007206548.tif 000012